(57)【要約】【課題】消費者に効果的に広告を行うことができると共に、消費者に強い印象を与えることが可能な葉書き、及び葉書きを利用した景品提供方法を提供する。【解決手段】葉書き１の表面にロゴマーク１ａとキャラクター画像１ｂを設け、裏面には広告すべき実体である広告実体１ｄ、広告画像１ｃを設けると共に景品画像１ｅ、アクセス情報１ｆ、広告詳細説明１ｇを設ける。葉書き１を受け取った者は、アクセス情報１ｆに従ってインターネットにアクセスし、景品画像１ｅに表示されている景品の抽選に参加できる。キャラクター画像１ｂ、広告実体１ｄ、景品画像１ｅの関連性を高めることにより消費者に広告実体１ｄの印象を高めることができる。【選択図】　　図１
2004038613.tif 000002
【特許請求の範囲】
【請求項１】
表面にインターネット上の場所を特定するためのＵＲＬが表記されていること共に、ユニークな番号または記号の組み合わせであるユニークＩＤを表示していることを特徴とする葉書き。
【請求項２】
前記ＵＲＬおよびユニークＩＤが表記されている部分と葉書き本体との間に切離しを容易に行うためのミシン目が設けられていることを特徴とする請求項１に記載の葉書き。
【請求項３】
前記ユニークＩＤは抽選番号の役割を果たすものであることを特徴とする請求項１または請求項２に記載の葉書き。
【請求項４】
前記葉書きは、一方の面に認知させるべき事項もしくは物を表現すると共に、他方の面には、前記認知させるべき事項もしくは物を連想させるキャラクターを表現した絵葉書きであることを特徴とする請求項１から請求項３のいずれかに記載の葉書き。
【請求項５】
内面にインターネット上の場所を特定するためのＵＲＬが表記されていること共に、ユニークな番号または記号の組み合わせであるユニークＩＤを表示していることを特徴とする箱。
【請求項６】
端末装置から、葉書きに記載されたＵＲＬを利用してインターネットにアクセスして、葉書きに提示されている景品を入手する方法であって、
葉書きに記載されているＵＲＬに基づいて、インターネット上で前記ＵＲＬで特定されるＷｅｂサイトを開設しているサーバコンピュータにアクセスする段階と、
前記端末装置が、前記葉書きに記載されている抽選番号の入力を受け付けた後、当該抽選番号を前記サーバコンピュータに送信する抽選番号送信段階と、
前記送信された抽選番号に対して、サーバコンピュータが当選か不当選かを判定する段階と、
前記当選および不当選に対応する画面を作成して前記端末装置に提示する段階と、
当選の場合、当選番号および当選者となった応募者に関する情報を記録する段階と、
を有することを特徴とする景品提供方法。
【請求項７】
前記抽選番号送信段階は、前記抽選番号の入力に加えてアンケートに対する回答の入力を行い、前記抽選番号の送信と共にアンケート情報の送信を行うものであり、
サーバーコンピュータは受信したアンケート情報を記録するものであることを特徴とする請求項６に記載の景品提供方法。
【請求項８】
前記当選か不当選かを判定する段階は、前記サーバコンピュータが保持している当選番号と、前記端末装置より送信された抽選番号との照合を行って、当選かどうかを確認することにより行われるものであることを特徴とする請求項６または請求項７に記載の景品提供方法。
【発明の詳細な説明】
【０００１】
【産業上の利用分野】
本発明は、消費者の所定の事項を認知させることを容易に行うための葉書き、及び葉書きを利用した景品提供方法に関するものである。
【０００２】
【従来の技術】
従来より、所定の事項を認知させたり、商品の広告を行う場合には、様々な媒体を用いた手法が利用されている。例えば、手配りや新聞折り込みでチラシを配ったり、テレビ・ラジオ等の公共の電波を利用したり、インターネットを利用した手法等が挙げられる。
【０００３】
【発明が解決しようとする課題】
しかしながら、上記従来の手法では、チラシでは、費用が安い分効果が薄く、公共の電波を利用すると効果は高いが、費用もかかるという問題がある。また、インターネットを利用してもらう場合には、広告を行っているホームページにどのようにアクセスさせるかについても問題となる。さらに、上記いずれの手法をとった場合であっても、広告を見た者にどれだけ印象を残すことができるかについても難しい問題となっている。
【０００４】
上記のような点に鑑み、本発明は、消費者に効果的に広告を行うことができると共に、消費者に強い印象を与えることが可能な葉書き、及び葉書きを利用した景品提供方法を提供することを課題とする。
【０００５】
【課題を解決するための手段】
上記課題を解決するため、本発明では、端末装置から、葉書きに記載されたＵＲＬを利用してインターネットにアクセスして、葉書きに提示されている景品を入手する方法として、葉書きに記載されているＵＲＬに基づいて、インターネット上で前記ＵＲＬで特定されるＷｅｂサイトを開設しているサーバコンピュータにアクセスする段階、前記端末装置が、前記葉書きに記載されている抽選番号の入力を受け付けた後、当該抽選番号を前記サーバコンピュータに送信する抽選番号送信段階、前記送信された抽選番号に対して、サーバコンピュータが当選か不当選かを判定する段階、前記当選および不当選に対応する画面を作成して前記端末装置に提示する段階、当選の場合、当選番号および当選者となった応募者に関する情報を記録する段階を実行するようにしたことを特徴とする。
本発明によれば、葉書きにＵＲＬおよび抽選番号を記載しておき、このＵＲＬに基づいてアクセスしたＷｅｂサイトにおいて、抽選番号を入力して当選であるかどうかを判定するようにしたので、消費者に効果的に広告を行うことができると共に、消費者に強い印象を与えることが可能となる。
【０００６】
【発明の実施の形態】
以下、本発明の好適な実施形態について、図面を参照して詳細に説明する。
図１は、本発明による葉書きの一例を示す図である。図１（ａ）は葉書き１の表面、図１（ｂ）は裏面を示している。表面には、一面に絵柄が印刷されている。図１（ａ）において、１ａはロゴマーク、１ｂはキャラクター画像を示している。図１（ａ）の例では、キャラクター画像１ｂとして、キャラクターの絵柄が印刷されており、そのキャラクターに対応するロゴマーク１ａが同一面に印刷されている。図１（ｂ）において、１ｃは広告画像、１ｄは広告実体、１ｅは景品画像、１ｆはアクセス情報、１ｇは広告詳細説明、１ｈは空白領域である。広告画像１ｃは、広告実体を表現する絵柄を印刷する領域である。広告実体１ｄは、広告する対象を示すものであり、本発明の葉書きにより広く認知させたい内容である。景品画像１ｅは、景品として消費者がもらえることになる商品の画像である。アクセス情報１ｆは、景品をもらうために消費者がアクセスすべき先を示しており、具体的には、インターネット上のＵＲＬ（Ｕｎｉｆｏｒｍ　Ｒｅｓｏｕｒｃｅ　Ｌｏｃａｔｏｒ）と抽選番号であるユニークＩＤが印字されている。図１の例では、ユニークＩＤが「Ａ１２３４５６７」となっており、英字と数字の組合せとなっているが、英字のみ、数字のみであっても構わない。広告詳細説明１ｇは広告実体１ｄに関する補足説明および景品をもらうための詳細情報である。空白領域１ｈは、空白となっており、ここに宛名およびメッセージを記入することにより、利用者が絵葉書として利用することができるようになっている。
【０００７】
図１（ｂ）に示した景品画像１ｅ、アクセス情報１ｆ、広告詳細説明１ｇの詳細を図２に示す。図２に示すように、広告詳細説明１ｇには、広告実体１ｄの詳細を説明すると共に、景品の入手のための方法が記載されている。
【０００８】
続いて、図１に示したような葉書きを利用した景品の提供方法について説明する。図１に示したような葉書き１は小売店などにおいて、来店者に無料で配られるか、もしくは商品を購入した顧客に対して配られる。葉書き１を受け取った顧客は、その広告詳細説明１ｇを読み、景品をもらうために、インターネットにアクセスする。図３は、景品提供に必要な構成を示すシステム構成図である。図３において、１０は端末装置、２０はインターネット、３０はサーバコンピュータ、３１はアンケート情報記憶部、３２は当選者情報記憶部、３３は当選番号記憶部である。
【０００９】
図３に示す構成は、インターネット上のＷＷＷサーバに開設されたサイトへアクセスするための一般的な構成である。図３中、端末装置１０はＷＷＷブラウザを搭載したパーソナルコンピュータ、携帯電話、ＰＤＡ等の端末装置で実現される。インターネット２０はＴＣＰ／ＩＰプロトコルを利用してデータの送受信を可能としたネットワークであり、有線・無線を問わない。サーバコンピュータ３０は、ＷＷＷサーバおよびアプリケーションサーバとしての機能を備えており、アプリケーションサーバとしての機能において、具体的な景品提供のための処理が実行されることになる。アンケート情報記憶部３１は、アンケートに対する顧客からの回答を記憶するためのものであり、当選者情報記憶部３２は、応募者のうち景品が当選した者に関する情報を記憶するためのものであり、当選番号記憶部３３は、抽選番号として発行された番号のうち当選となる当選番号を記憶しておくためのものである。アンケート情報記憶部３１、当選者情報記憶部３２、当選番号記憶部３３は、ハードディスク等の外部記憶装置で実現され、サーバコンピュータ３０により管理されており、サーバコンピュータ３０からの制御によりデータの読み書きが可能となっている。なお、図３の例では、サーバコンピュータ３０は、ＷＷＷサーバおよびアプリケーションサーバを備えた構成となっているが、物理的には、１台のコンピュータであっても複数台のコンピュータであっても良い。
【００１０】
続いて、図３に示した構成を利用した景品提供方法について、図４のフローチャートを用いて説明する。まず、利用者は、葉書き１のアクセス情報１ｆに記載されているＵＲＬを、端末装置１０に入力して、インターネット上のサーバコンピュータ３０にアクセスする（ステップＳ１）。これにより端末装置１０には、景品を提供する業者あるいは団体が開設したＷｅｂページが表示される。この団体は、「○○の日」という広告実体を広く消費者に認知させるために、このようなＷｅｂサイトを開設している。Ｗｅｂページ上で指示に従って所定の操作を行うと、アンケート用のＷｅｂページが表示される。このようなアンケート画面において、応募者はアンケートに回答していくと共に抽選番号を入力する（ステップＳ２）。アンケートには、個人が特定されるような情報を入力させるような設問を設定しておいても良いが、顧客がアンケートに参加し易くするためには、個人が特定されるような情報は入力させないようにする方が好ましい。アンケートへの必須事項の回答および抽選番号が入力されたら、端末装置側で送信の指示を行うことにより、入力された情報をサーバコンピュータ３０に送信する。
【００１１】
サーバコンピュータ３０では、アンケート情報と共に受信した抽選番号を確認し、抽選番号が既に使用されたものであるかどうかを確認した後、その抽選番号が使用されたものでない場合には、アンケート情報をアンケート情報記憶部３１に記録すると共に受信した抽選番号が当選しているかどうかの判定を行う（ステップＳ３）。ここで、抽選番号が使用されたものでないかどうかの確認を行うのは、景品抽選の正確さ、およびアンケートの正確さを高めるためである。当選しているかどうかの判定の手法としては、種々の手法を適用することができるが、本実施形態では、当選番号記憶部３３にあらかじめ登録されている当選番号と、受信した抽選番号が一致しているかどうかを照合することにより行っている。照合の結果、抽選番号と当選番号が一致している場合には、氏名および住所の入力用の画面を作成して、端末装置１０側に提示することにより入力を促す（ステップＳ４）。この氏名および住所は個人情報として利用するために用いるのではなく、景品の発送のために用いられる。そのため、氏名および住所は当選者だけが入力することになる。入力された氏名および住所はサーバコンピュータ３０に送信されて、当選者情報記憶部３２に記憶される（ステップＳ５）。一方、照合の結果、抽選番号と当選番号が一致しなかった場合、抽選に外れた旨を伝えると共にアンケートに協力してもらったことに関するお礼のメッセージを付けた画面を作成し、応募者の端末装置１０に対して提示する。このようにして応募者は、即座に当選、落選を確認することができる。
【００１２】
当選者に対しては、葉書き１の裏面に景品画像１ｅとして示されているものと同じ景品が、登録されている宛先に送付されることになる。好ましくは、この景品をロゴマーク１ａで識別され、キャラクター画像１ｂに印刷されたキャラクターの製品とし、ロゴマーク１ａで特定されるキャラクタと認知させるべき内容である広告実体１ｄを対応付けることにより、景品を受け取った際に、印象がより深まり、広告実体の認知度をより高めることが可能となる。例えば、広告実体として「父の日」を広告する場合であれば、「お父さん」を連想させる漫画やアニメのキャラクターなどを用い、景品として、そのキャラクターの人形やぬいぐるみを提供することにより、一層認知度が高まることになる。認知度の高め方としては、まず第１段階として、顧客は、店頭で葉書き１のキャラクター画像１ｂを見ることにより惹きつけられ、同時に広告実体１ｄを認識する。この段階だけでも、単に広告実体だけを広告するのに比べて効果が高い。第２段階として、景品画像１ｅおよび広告詳細説明１ｇを見ることにより、広告実体１ｄの詳細を知ると共に、キャラクター画像１ｂに示されている魅力的なキャラクターの景品がもらえるキャンペーンを知り、顧客は、より興味を持つことになる。第３段階として、インターネットにアクセスしてアンケートに答えていくことにより広告実体１ｄへの理解を深めていく。さらに、当選した顧客については、景品をもらえることにより広告実体を忘れられないほど印象付けられることになる。しかし、上記ロゴマーク１ａ、キャラクター画像１ｂは、必ずしも広告実体１ｄと関連付ける必要はなく、ロゴマーク１ａ、キャラクター画像１ｂ自体が受け取った人に喜ばれるものであれば良い。ロゴマーク１ａ、キャラクター画像１ｂ自体が人を惹き付けるものであれば、葉書き１自体が、人が欲しいと思う価値性を持つことになる。
【００１３】
一方、アンケート情報記憶部３１に蓄積されたアンケート結果は、広告実体に対する意識調査の結果として、今後の広告戦略および関連する商品の販売戦略に利用される。
【００１４】
（葉書きの応用例）
続いて、本発明に係る葉書きの応用例について説明する。図５は、本発明に係る葉書きの異なる形態を示す図である。図５（ａ）は葉書き２の表面、図５（ｂ）は裏面を示している。図５において、２ａはロゴマーク、２ｂはキャラクター画像、２ｃは広告画像、２ｄは広告実体、２ｅは景品画像、２ｆはアクセス情報、２ｇは広告詳細説明、２ｈは空白領域、２ｉはミシン目である。図５において、図１と同一のアルファベットを有するものは、図１と同様の役割を果たすものであるので、説明は省略する。図５に示した葉書き２が、図１に示した葉書き１と異なるのは、ミシン目２ｉを有していることであり、このミシン目２ｉで本体と景品応募要綱（景品画像２ｅ、アクセス情報２ｆ、広告詳細説明２ｇ）とを切離すことが可能である。景品応募要綱は財布、定期入れなどに入れて携帯が可能となる。そのため、この葉書き２を複数枚もらった人は、景品応募要綱だけ複数枚切り離して携帯しておき、時間が空いたときにまとめて応募することが可能となる。
【００１５】
（葉書き以外の形態）
本発明は、葉書き以外にも適用することが可能である。例えば、一例として箱の蓋の裏側部分に景品応募要綱を設けた場合を図６に示す。図６（ａ）において、３ａはロゴマーク、３ｂはキャラクター画像、３ｉはミシン目、３ｊは景品応募要綱である。図６において、図１、図５と同一のアルファベットを有するものは、図１、図５と同様の役割を果たすものであるので、説明は省略する。図６に示した箱３においては、ミシン目３ｉが箱本体と蓋の境目に設けられており、このミシン目３ｉで本体と景品応募要綱３ｊとを切離すことが可能である。図６（ｂ）には、蓋部を本体と切離した時の、箱３の状態を示す。なお、景品応募要綱３ｊは、図２に示したのと同様の内容であり、景品画像、アクセス情報、広告詳細説明を含んでいる。景品応募要綱３ｊは、図５に示した葉書き２の場合と同様に、財布、定期入れなどに入れて携帯が可能となる。そのため、この箱に包装された商品を購入した人は、蓋部だけ複数枚切り離して携帯しておき、時間が空いたときにまとめて応募することが可能となる。また、景品応募要綱３ｊとしては、この部分だけシールとしておき、蓋部から剥離することができるようにしておいても良い。なお、箱３に入れて販売するものとしては、例えばチョコレート等が挙げられる。
【００１６】
【発明の効果】
以上、説明したように本発明によれば、葉書きに記載されているＵＲＬに基づいて、インターネット上でＵＲＬで特定されるＷｅｂサイトを開設しているサーバコンピュータにアクセスし、葉書きに記載されている抽選番号の入力を受け付けた後、抽選番号を前記サーバコンピュータに送信し、送信された抽選番号に対して、サーバコンピュータが当選か不当選かを判定し、当選および不当選に対応する画面を作成して前記端末装置に提示し、当選の場合、当選番号および当選者となった応募者に関する情報を記録するようにしたので、消費者に効果的に広告を行うことができると共に、消費者に強い印象を与えることが可能となるという効果を奏する。
【図面の簡単な説明】
【図１】本発明による葉書きの一例を示す図である。
【図２】景品画像１ｅ、アクセス情報１ｆ、広告詳細説明１ｇの詳細を示す図である。
【図３】本発明の葉書きを利用した景品提供に必要な構成を示すシステム構成図である。
【図４】本発明の景品提供方法の概要を示すフローチャートである。
【図５】本発明による葉書きの変形例を示す図である。
【図６】本発明による箱の一例を示す図である。
【符号の説明】
１、２・・・葉書き
３・・・箱
１ａ、２ａ、３ａ・・・ロゴマーク
１ｂ、２ｂ、３ｂ・・・キャラクター画像
１ｃ、２ｃ・・・広告画像
１ｄ、２ｄ・・・広告実体
１ｅ、２ｅ・・・景品画像
１ｆ、２ｆ・・・アクセス情報
１ｇ、２ｇ・・・広告詳細説明
１ｈ、２ｈ・・・空白領域
２ｉ、３ｉ・・・ミシン目
３ｊ・・・景品応募要綱
１０・・・端末装置
２０・・・インターネット
３０・・・サーバコンピュータ
３１・・・アンケート情報記憶部
３２・・・当選者情報記憶部
３３・・・当選番号記憶部
【図１】
2004038613.tif 000003
【図２】
2004038613.tif 000004
【図３】
2004038613.tif 000005
【図４】
2004038613.tif 000006
【図５】
2004038613.tif 000007
【図６】
2004038613.tif 000008